(57)【特許請求の範囲】
【請求項１】
通気性と吸液性を有するシート体に薬剤を含浸したシート形状の薬剤含浸体２０と、この薬剤含浸体２０を保持する保持容器２１を備え、
前記保持容器２１は、容器本体３０と蓋体４０を備え、
前記容器本体３０は、中央支持部３１と外周支持部３２を複数の連結部３３で連結して空気流通部３４を有し、
前記蓋体４０は、中央押え部４１と外周押え部４２を複数の連結部４３で連結して空気流通部４４を有し、
前記中央支持部３１と中央押え部４１で薬剤含浸体２０の中央部分を挟持して保持すると共に、前記外周支持部３２と外周押え部４２で薬剤含浸体２０の外周部分を挟持して保持するようにし、
前記中央支持部３１に形成した凹部３５と前記中央押え部４１に形成した供給口４５で中央部の液溜め凹部２１ｃとしたことを特徴とする薬剤カートリッジ。
【請求項２】
前記外周支持部３２に形成した外周凹部３６と前記外周押え部４２に形成した外周供給口４６で外周部の液溜め凹部２１ｃとした請求項１記載の薬剤カートリッジ。
【発明の詳細な説明】
【技術分野】
【０００１】
本発明は、害虫防除剤、芳香剤、消臭剤など、揮散性を有する薬剤を保持し、ファン式薬剤放散装置等に用いることで薬剤を大気に放散させる薬剤カートリッジに関する。
【背景技術】
【０００２】
特許文献１に開示されるファン式薬剤放散装置が知られている。
このファン式薬剤放散装置は、装置本体内に、送風機と薬剤カートリッジと電源収納体を設けたもので、その送風機はファンとモータを有し、薬剤カートリッジは通気性を有する容器内に、薬剤を含浸した粒状の薬剤含浸体を多数収容したもので、電源収納体には電池が収容されている。
そして、モータでファンを回転することで容器に空気を流通して薬剤を大気に放散する。
【０００３】
【特許文献１】特許公開２００２−２９１３９２号公報
【発明の開示】
【発明が解決しようとする課題】
【０００４】
前述した従来の薬剤カートリッジは、通気性を有する容器内に薬剤を含浸した粒状の薬剤含浸体を多数収容し、その容器内に空気が流通することで薬剤含浸体に含浸した薬剤を順次大気に放散するもので、その薬剤含浸体に含浸した薬剤が無くなれば、薬剤含浸体を収容したまま容器を廃棄している。
したがって、使用済みの薬剤カートリッジをゴミとして処理するので、昨今の廃棄物問題、省資源問題などの社会的事情の中、好ましくない。
【０００５】
また、容器に多数の粒状の薬剤含浸体を収容した薬剤カートリッジは、その容器が厚く大きなものであるから、薬剤カートリッジが厚い。
このために、装置本体内に薬剤カートリッジ、送風機、電池などを設けたファン式薬剤放散装置の装置全体が厚くなってしまう。
【０００６】
本発明の目的は、使用後に薬剤を補給して繰り返し使用できると共に、薄くすることができる薬剤カートリッジを提供することである。
【課題を解決するための手段】
【０００７】
第１の発明は、通気性と吸液性を有するシート体に薬剤を含浸したシート形状の薬剤含浸体２０と、この薬剤含浸体２０を保持する保持容器２１を備え、
前記保持容器２１は、容器本体３０と蓋体４０を備え、
前記容器本体３０は、中央支持部３１と外周支持部３２を複数の連結部３３で連結して空気流通部３４を有し、
前記蓋体４０は、中央押え部４１と外周押え部４２を複数の連結部４３で連結して空気流通部４４を有し、
前記中央支持部３１と中央押え部４１で薬剤含浸体２０の中央部分を挟持して保持すると共に、前記外周支持部３２と外周押え部４２で薬剤含浸体２０の外周部分を挟持して保持するようにし、
前記中央支持部３１に形成した凹部３５と前記中央押え部４１に形成した供給口４５で中央部の液溜め凹部２１ｃとしたことを特徴とする薬剤カートリッジである。
【０００８】
第２の発明は、第１の発明において、前記外周支持部３２に形成した外周凹部３６と前記外周押え部４２に形成した外周供給口４６で外周部の液溜め凹部２１ｃとした薬剤カートリッジである。
【発明の効果】
【００１０】
請求項１に係る発明によれば、使用によって薬剤含浸体２０に含浸した薬剤が全て大気に放散された使用後に、保持容器２１の中央部の液溜め凹部２１ｃに薬液を供給して溜めることで、その薬液が外周部に向けて浸透してシート体の全体に亘って含浸する。
したがって、使用後に薬剤を補給して繰り返し使用できる。
【００１１】
また、液溜め凹部２１ｃは保持容器２１の中央部に形成してあるから、ファン式薬剤放散装置に取付けて使用する際に、その液溜め凹部２１ｃによってファンの風量が無駄となることがなく、ファン４の風量を有効利用して薬剤を大気に効率良く放散できる。
【００１２】
また、シート形状の薬剤含浸体２０を保持容器２１で保持しているから、薄くすることができる。
しかも、シート形状の薬剤含浸体２０を所定の形状に維持できると共に、手で持った時に薬剤が手に付着することがない。
また、薬剤含浸体２０の中央部と外周部を容器本体３０と蓋体４０で保持するから、薄い薬剤含浸体２０をしっかりと保持することができ、その薄い薬剤含浸体２０を用いた薬剤カートリッジの取り扱い、保管等が容易である。
【００１３】
請求項２に係る発明によれば、中央部の液溜め凹部２１ｃに溜めた薬液が外周部に向けて浸透し、外周部の液溜め凹部２１ｃに溜めた薬液が中央部に向けて浸透するので、大きな薬剤含浸体２０であっても薬剤を全体に渡って補給することができる。
【発明を実施するための最良の形態】
【００１５】
本発明の薬剤カートリッジを用いて薬剤を大気に放散させるファン式薬剤放散装置の一例を図１に基づいて説明するが、このファン式薬剤放散装置に限ることはないことは勿論である。
図１に示すように、装置本体１に送風機２が設けてあると共に、本発明に係る薬剤カートリッジ３が着脱自在に取付けてあり、その送風機２のファン４をモータ５で回転すると薬剤カートリッジ３に空気が流通するように構成してある。
前記装置本体１は本体部１０とカバー部１１を備え、送風機取付部１２と電池取付部１３を形成していると共に、空気吸込部１４と空気吐出部１５を有している。
前記送風機２はハウジング６にファン４とモータ５を設けたもので、そのハウジング６が送風機取付部１２に設けてあり、ハウジング６の吸込口６ａが空気吸込部１４に連通し、図示しない吐出口が空気吐出部１５にそれぞれ連通している。
前記電池取付部１３に電池７が取付けてある。
前記カバー部１１は開閉自在に本体部１０に連結され、このカバー部１１を開放することで薬剤カートリッジ３、電池７を取付け、取り外しできるようにしてある。
【００１６】
前記薬剤カートリッジ３は、通気性と吸液性を有するシート体に、薬剤を含浸したシート状の薬剤含浸体２０と、この薬剤含浸体２０を保持する保持容器２１を備えている。
つまり、薬剤含浸体２０はシート形状で剛性が弱く、それ自体では形状を維持することができなかったり、薬剤含浸体２０を直接手で持つと薬剤が手に付着する恐れがあるために、薬剤含浸体２０の一部分を保持容器２１で保持し、他の部分に空気が流通するようにしている。
【００１７】
前記保持容器２１は、薬剤含浸体２０を保持する保持部２１ａと、空気が流通する空気流通部２１ｂを備え、その保持部２１ａの中央部（つまり、保持容器２１の中央部）には液溜め凹部２１ｃを有している。
前記ハウジング６の凹陥部６ｂに保持容器２１が嵌合して取付けられ、ファン４を回転することで薬剤含浸体２０に空気が流通して薬剤が大気に放散される。
【００１８】
このようであるから、使用後、つまり薬剤含浸体２０（シート体）に含浸した薬剤が全て大気に放散された後には、薬剤カートリッジ３を装置本体１から取り外し、薬液を液溜め凹部２１ｃに供給して溜める。
前記液溜め凹部２１ｃに溜まった薬液は、シート体の外周部に向けて順次浸透してシート体の全体に渡って含浸され、薬剤を含浸している未使用の薬剤カートリッジとすることができる。
したがって、使用後に薬剤を補給して繰り返して使用できる薬剤カートリッジである。
【００１９】
また、薬剤カートリッジ３はファン４と対向して取付けられ、その薬剤カートリッジ３の中央部はファン４の中央部と対向しているので、保持容器２１の中央部はファン４の中央部と対向する。
このために、液溜め凹部２１ｃを保持容器２１の中央部に設けたことにより、装置本体１に取付けて使用する際に、その液溜め凹部２１ｃは、ファン４の回転による空気流れの少ない部分に位置し、この液溜め凹部２１ｃによってファン４の回転による空気流れが阻害されることがほとんどなく、ファン４の回転による空気流れのほとんどが薬剤含浸体２０を流通し、送風機２の風量が無駄になることがなく、その風量を薬剤を大気に放散するのに有効利用できる。
つまり、図１に示すように、ファン４の中央部はモータ５の回転軸５ａと連結されているから、その中央部には空気の流れがほとんどなく、このファン４の中央部と対向した部分には空気がほとんど流れないので、前述の液溜め凹部２１ｃのために空気流れが阻害されることがない。
【００２０】
また、シート形状の薬剤含浸体２０を保持容器２１で保持して薬剤カートリッジ３としてあるから、その薬剤カートリッジ３を薄くすることができる。
【００２１】
次に、前記保持容器２１の具体形状を説明する。
前記保持容器２１は図１と図２に示すように、容器本体３０と蓋体４０を備え、その容器本体３０と蓋体４０で薬剤含浸体２０を挟持して支持する。
この容器本体３０は、中央支持部３１と、この中央支持部３１の周囲に間隔を置いて位置する外周支持部３２と、この外周支持部３２と中央支持部３１を連結する複数の連結部３３を有し、その隣接した連結部３３間が開口して空気流通部３４としてある。
前記中央支持部３１の支持面３１ａには凹部３５が形成してある。
【００２２】
前記蓋体４０は中央押え部４１と、この中央押え部４１の周囲に間隔を置いて位置する外周押え部４２と、この外周押え部４２と中央押え部４１を連結する複数の連結部４３を有し、その隣接した連結部４３間が開口して空気流通部４４としてある。
前記中央押え部４１は前述の中央支持部３１と同じ大きさで、供給口４５が凹部３５と対向して有し、この供給口４５と凹部３５で液溜め凹部２１ｃとしてある。
前記外周押え部４２は前述の外周支持部３２と同じ大きさである。
前記連結部４３は前述の連結部３３と同一形状、大きさで、空気流通部４４が前述の空気流通部３４と対向し、両方の空気流通部３４，４４に亘って空気がスムーズに流通するようにしてある。
【００２３】
前記容器本体３０と蓋体４０は着脱自在に取付けられる。
この実施の形態では、前述の外周支持部３２の外周縁には支持面３２ａよりも上方に突出したリング体３２ｂを備え、そのリング体３２ｂに薬剤含浸体２０を嵌め込み、その後に蓋体４０が嵌合して取付ける。
これに限ることはなく、蓋体４０にリング体を設け、そのリング体を外周支持部３２の外周面に嵌合して取付けしても良いし、容器本体３０と蓋体４０にピンと穴を対向して設け、そのピンと穴を嵌合して取付けても良い。
【００２４】
また、この実施の形態では連結部３３，４３は放射状に複数設けてあるが、これに限ることはなく格子形状、多孔板形状などでも良い。
【００２５】
前述のようであるから、薬剤含浸体２０の中央部は中央保持部３１と中央押え部４１で挟持して支持され、外周部が外周支持部３２と外周押え部４２で挟持して支持され、中間部の複数個所が連結部３３，４３相互でそれぞれ挟持されて支持される。
そして、各空気流通部３４，４４を流通する空気が薬剤含浸体２０を通過する。
【００２６】
このようであるから、使用後（つまり、薬剤含浸体２０に含浸した薬剤含浸体が全て大気に放散された状態）には、薬剤カートリッジ３を装置本体１から取り出し、薬液を供給口４５から注入して凹部３５、又は凹部３５と供給口４５に溜める。
そして、凹部３５に溜まった薬液は薬剤含浸体２０の全体に亘って浸透して含浸する。
前記液溜め凹部２１ｃの深さは、薬液の供給量に応じて設計すればよく、特に制限されない。図１に示すようにシート体下面と凹部３５上面が接している場合、供給した薬液がシート体と表面張力で留保状態にある深さであればよく、深くしすぎるとシート体に接しない残液を発生することがある。
【００２７】
次に、薬剤カートリッジの第２の実施の形態を説明する。
図３と図４に示すように、容器本体３０の中央支持部３１を蓋体４０の中央押え部４１よりも大きくし、かつ凹部３５を中央押え部４１よりも大きくする。
蓋体４０の中央押え部４１を連結部４３よりも厚くして中央押え部４１を連結部４３よりも下方に突出させ、この中央押え部４１によって薬剤含浸体２０を凹部３５内に押し込む。
【００２８】
このようにすれば、凹部３５に溜まった薬液がシート体に含浸し易くなる。
図４に示すようにシート体を凹部３５の底面に接近、又は接している場合、液溜め凹部２１ｃの深さは、供給する薬液量に応じて決め、また、薬液は供給すると同時に周囲に浸透し始めるのであまり深くする必要はない。
【００２９】
前述の各実施の形態は薬剤含浸体２０が小さい場合に好ましく、大きい薬剤含浸体の場合には外周部にも液溜め凹部を形成し、シート体の中央部、外周部に薬液を供給し、中央部から外周部に向けて浸透させると共に、外周部から中央部に向けて浸透するようにすることが好ましい。
また、製造時では、薬液をシート体の全域に速く浸透させるのに有効である。
【００３０】
例えば、図５、図６に示すように、容器本体３０の中央支持部３１に凹部３５を形成し、外周支持部３２に外周凹部３６、例えば環状の凹部を形成する。
蓋体４０の中央押え部４１に供給口４５を形成する。連結部４３を外周押え部４２よりも外方に突出させ、その突出部４３ａをリング体３２ｂに接して外周押え部４２とリング体３２ｂとの間に隙間を形成し、その隙間を外周供給口４６とする。
そして、この外周凹部３６によって外周部の液溜め凹部２１ｃとする。
【００３１】
この実施の形態では、外周押え部４２が中央押え部４１よりも厚く、薬剤含浸体２０の外周縁を外周凹部３６に押し込み、薬液が浸透し易くしてある。
【００３２】
また、図７と図８に示すように容器本体３０の外周支持部３２を、外周寄りが低くなるように水平に対して斜めとしてリング体３２ｂとによって外周凹部３６を形成する。
蓋体４０の連結部４３を中央部よりも外周部が低くなるように水平に対して斜めとし、その外周押え部４２が外周支持部３２とほぼ平行となるようにする。
これによって、薬剤含浸体２０の外周縁が外周支持部３２に押しつけられる。
前記蓋体４０の外周押え部４２の一部分、例えば連結部４３と対向した部分に凹み４２ａを形成し、この凹み４２ａとリング体３２ｂとの間に隙間を形成し、この隙間を外周供給口４６とする。
【００３３】
また、図９と図１０に示すように、蓋体４０の中央押え部４１に下向き凹部４５ａを形成し、その上面に小さな供給穴４５ｂを複数形成して下向き凹部４５ａと供給穴４５ｂで供給口４５とし、その供給口４５と凹部３５で中央部の液溜め凹部２１ｃとする。
蓋体４０の外周押え部４２を内縦片４８と上横片４９で断面鉤形状とし、その外周押え部４２と外周支持部３２のリング体３２ｂで下向き凹部４６ａを形成し、前記上横片４９に外周供給穴４６ｂを形成し、その外周供給穴４６ｂと下向き凹部４６ａで外周供給口４６とし、その外周供給口４６と外周凹部３６で外周部の液溜め凹部２１ｃとする。
また、前述の各凹部内底面に、シボ加工などにより凹凸を設け隙間を形成、格子形状とし小空間を形成、複数の突起リングを設け溝を形成し、シート体間に表面張力を促進するようにしてもよい。
【００３４】
前述のように、薬液を液溜め凹部２１ｃに補給する方法としては、量表示されたスポイト式容器、適量収容されたアンプル容器、定量型容器、定量カップ付き容器などの定量容器、ノズル容器などで補給量を目視で確認しながら供給、などが挙げられる。
また、補給に際し、補給時期が目視で確認できれば便利であるので、従来から知られているインジケータを用いた薬剤含浸体２０に含浸した薬剤が全て大気に放散された時期を表示するようにすることが好ましい。
【００３５】
本発明の薬剤カートリッジ３は、前述したファン式薬剤放散装置に用いるものに限ることはなく、送風機のファンに直接取付けるようにしても良いし、ファンと一体的にしても良い。また扇風機の吸込み側、吐出側に取付けても良いし、エアコンの吹出口に取付けることもできる。
【００３６】
本発明に用いる薬剤含浸体２０のシート体に含浸する薬剤としては、常温、送風などの条件で揮散する害虫防除剤（殺虫剤、忌避剤、害虫成長制御剤、殺ダニ剤、防虫性精油など）、芳香剤、芳香消臭剤、消臭剤、防カビ剤、除菌剤、害獣忌避剤などが挙げられる。
そして、上記の薬剤で、殺虫を目的として使用する場合、従来より用いられている各種揮散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられている。
さらに、微量で効力を発揮する高活性のメトフルトリン、トランスフルトリン、エムペントリン、テラレスリン、プロフルトリンが薬剤含浸体を薄く、また小さくできることからより好ましい。
【００３７】
本発明に用いる薬剤含浸体のシート体の素材としては、天然繊維、化学繊維、不織布（天然繊維、化学繊維、炭素繊維など）、樹脂ネット（ポリエチレン、ポリプロピレン、ポリ塩化ビニルなど）、布綿（織物、編み物）、抄紙（パルプ、リンター、合成紙など）などが例示され、シート形状、網形状、ハニカム形状、すのこ形状、格子形状などをなす成形体、又はその形状を確保する収容形状、綿状形状、スポンジ状形状などが挙げられる。
また、これらの中で、気流の通気性や薬剤の含有性に優れた不織布などからなるシート形状が好ましい。
【図面の簡単な説明】
【００３８】
【図１】本発明の薬剤カートリッジを用いるファン式薬剤放散装置の断面図である。
【図２】薬剤カートリッジの第１の実施の形態を示す分解斜視図である。
【図３】薬剤カートリッジの第２の実施の形態を示す平面図である。
【図４】図３のＡ−Ａ断面図である。
【図５】薬剤カートリッジの第３の実施の形態を示す平面図である。
【図６】図５のＢ−Ｂ断面図である。
【図７】薬剤カートリッジの第４の実施の形態を示す平面図である。
【図８】図７のＣ−Ｃ断面図である。
【図９】薬剤カートリッジの第５の実施の形態を示す平面図である。
【図１０】図９のＤ−Ｄ断面図である。
【符号の説明】
【００３９】
１…装置本体、２…送風機、３…薬剤カートリッジ、４…ファン、２０…薬剤含浸体、２１…保持容器、２１ａ…保持部、２１ｂ…空気流通部、２１ｃ…液溜め凹部、３０…容器本体、３１…中央支持部、３２…外周支持部、３３…連結部、３４…空気流通部、３５…凹部、３６…外周凹部、４０…蓋体、４１…中央押え部、４２…外周押え部、４３…連結部、４４…空気流通部、４５…供給口、４６…外周供給口。
【図１】
0004627629.tif 000002
【図２】
0004627629.tif 000003
【図３】
0004627629.tif 000004
【図４】
0004627629.tif 000005
【図５】
0004627629.tif 000006
【図６】
0004627629.tif 000007
【図７】
0004627629.tif 000008
【図８】
0004627629.tif 000009
【図９】
0004627629.tif 000010
【図１０】
0004627629.tif 000011